(57)【特許請求の範囲】
【請求項１】
デジタル信号の記録された記録媒体から再生された微分波形信号に対して適応等化処理を行う適応等化手段と、前記適応等化手段が出力する等化出力信号の振幅検出をして３値（正値／零値／負値）の期待値信号を生成する３値生成手段と、前記３値生成手段が生成した期待値信号に対して、前記期待値信号が連続して正値あるいは連続して負値となったときには、その一方を零値に変更した変更期待値信号を出力する３値変更手段と、前記等化出力信号と前記３値変更手段が出力する変更期待値信号との差より等化誤差信号を生成する等化誤差生成手段と、前記等化誤差信号に応じて前記適応等化手段のタップ係数を調整するタップ係数調整手段とを備え、前記微分波形信号を自動的に適応等化処理するようにしたことを特徴とするデジタル信号再生装置。
【請求項２】
３値変更手段において、期待値信号が連続して正値あるいは連続して負値となったときには、等化出力信号の振幅が小さい方を零値に変更することを特徴とする請求項１記載のデジタル信号再生装置。
【発明の詳細な説明】
【０００１】
【発明の属する技術分野】
本発明は、記録媒体に記録されているデジタル信号をアナログ微分波形信号として再生して自動的に適応等化処理するのに好適なデジタル信号再生装置に関するものである。
【０００２】
【従来の技術】
ＤＶ規格などに対応したデジタルビデオテープレコーダにおけるデジタル信号再生装置においては、磁気ヘッドにより磁気テープから再生した微分波形信号を基に、記録されているデジタル信号の再生を行う。ここで、磁気ヘッドにより再生された微分波形信号には、磁気テープの特性や電磁変換系の特性による周波数特性の劣化が存在する。この周波数特性の劣化を補正するために、波形の等化処理が一般的に行われている。
【０００３】
また、この等化処理においては、磁気テープ、磁気ヘッドおよび回路系のばらつきや経年変化による記録再生特性の変化に対応するために、再生信号の特性に応じて等化処理の特性を自動的に調整する適応等化処理が一般的となっている。この適応等化処理としては、例えば、特開平８−４６５５３号公報などが例として挙げられる。
【０００４】
図３は従来のデジタル信号再生装置の構成を示すブロック図である。
【０００５】
図３において、Ａ／Ｄ変換器３０は、再生されたアナログ微分波形信号をデジタル信号に変換する。
【０００６】
適応等化器３１は、タップを形成するために直列接続された遅延素子３１０，３１１，３１２，３１３（各遅延時間は記録ビット周期Ｔ）と、各タップでの信号Ｘ０，Ｘ１，Ｘ２，Ｘ３，Ｘ４に対応するタップ係数Ｃ０，Ｃ１，Ｃ２，Ｃ３，Ｃ４を乗算する乗算器３１４，３１５，３１６，３１７，３１８と、各乗算器３１４，３１５，３１６，３１７，３１８の出力を加算する加算器３１９とから構成され、Ａ／Ｄ変換器３０が出力した信号を等化して等化出力信号Ｙを出力する。このとき、等化出力信号Ｙは次式で表される。
【０００７】
【数１】
Ｙ＝Ｃ０Ｘ０＋Ｃ１Ｘ１＋Ｃ２Ｘ２＋Ｃ３Ｘ３＋Ｃ４Ｘ４
３値生成器３２は、適応等化器３１が出力した等化出力信号Ｙの振幅検出をして３値（正値／零値／負値）判断し、期待値信号Ａを出力する。
【０００８】
減算器３３は、適応等化器３１が出力した等化出力信号Ｙと３値生成器３２が出力した期待値信号Ａとの減算を行い、等化誤差信号Ｅを出力する。このとき、等化誤差信号Ｅは次式で表される。
【０００９】
【数２】
Ｅ＝Ｙ−Ａ
タップ係数調整器３４は、第０タップ係数調整器３４０、第１タップ係数調整器３４１、第２タップ係数調整器３４２、第３タップ係数調整器３４３、第４タップ係数調整器３４４から構成される。
【００１０】
第０タップ係数調整器３４０は、第０タップでの信号Ｘ０と減算器３３が出力した等化誤差信号Ｅとから演算した第０タップ係数Ｃ０を出力する。第１タップ係数調整器３４１は、第１タップでの信号Ｘ１と減算器３３が出力した等化誤差信号Ｅとから演算した第１タップ係数Ｃ１を出力する。第２タップ係数調整器３４２は、第２タップでの信号Ｘ２と減算器３３が出力した等化誤差信号Ｅとから演算した第２タップ係数Ｃ２を出力する。第３タップ係数調整器３４３は、第３タップでの信号Ｘ３と減算器３３が出力した等化誤差信号Ｅとから演算した第３タップ係数Ｃ３を出力する。第４タップ係数調整器３４４は、第４タップでの信号Ｘ４と減算器３３が出力した等化誤差信号Ｅとから演算した第４タップ係数Ｃ４を出力する。
【００１１】
等化誤差信号Ｅを用いたタップ係数調整においては様々な方法があり、入力信号が更新されるごとに、逐次計算によりタップ係数を更新していく。上記の入力信号というのは、適応等化器３１への入力信号Ｘ０つまり、Ａ／Ｄ変換器３０が出力した信号のことである。この入力信号が更新されると、その順次遅延であるＸ１〜Ｘ４が更新され、タップ係数が更新される。なお、逐次計算は、例えば次式のような演算式に従って実行される。
【００１２】
【数３】
Ｃｊ(V+1) ＝Ｃｊ(V) −αj ＸｊＥ    （０≦ｊ≦４）
ただし、（Ｖ）と（Ｖ＋１）は時刻を表す。
【００１３】
また、αj は更新ゲインである。
【００１４】
【発明が解決しようとする課題】
しかしながら、図３に示した構成の従来のものでは、つぎのような問題点がある。
【００１５】
Ａ／Ｄ変換器３０でのサンプリングタイミングが正規の位置からずれたり、再生微分波形信号が一時的に乱れたりしたときに、３値生成器３２において生成される期待値信号Ａに、微分波形信号には本来存在しないパターンである正値の連続あるいは負値の連続が発生し、この期待値信号Ａより生成した等化誤差信号Ｅからタップ係数Ｃ０，Ｃ１，Ｃ２，Ｃ３，Ｃ４の調整を行うと、主としてセンタータップ（第２タップ）以外のタップ係数Ｃ０，Ｃ１，Ｃ３，Ｃ４の調整が誤動作し、発散してしまう場合がある。タップ係数の調整が発散すると、適応等化器３１による適応等化処理も異常となり、正常なデジタル信号の再生を続けることができなくなる。
【００１７】
本発明は、上記従来の問題点を解決するもので、Ａ／Ｄ変換器でのサンプリングタイミングが正規の位置からずれたり、再生微分波形信号が一時的に乱れたりしても、タップ係数の調整が誤動作せずに、正常なデジタル信号の再生を続けることができるデジタル信号再生装置を提供することを目的とする。
【００１８】
【課題を解決するための手段】
上記の課題を解決するために、本発明のデジタル信号再生装置は、期待値信号が連続して正値あるいは連続して負値となったときには、その一方を零値に変更することを特徴とする。
【００１９】
これにより、Ａ／Ｄ変換器でのサンプリングタイミングが正規の位置からずれたり、再生微分波形信号が一時的に乱れたりしても、タップ係数の調整が誤動作せずに、正常なデジタル信号の再生を続けることができる。
【００２２】
【発明の実施の形態】
本発明の請求項１に記載のデジタル信号再生装置は、デジタル信号の記録された記録媒体から再生された微分波形信号に対して適応等化処理を行う適応等化手段と、適応等化手段が出力する等化出力信号の振幅検出をして３値（正値／零値／負値）の期待値信号を生成する３値生成手段と、３値生成手段が生成した期待値信号に対して、期待値信号が連続して正値あるいは連続して負値となったときには、その一方を零値に変更した変更期待値信号を出力する３値変更手段と、等化出力信号と３値変更手段が出力する変更期待値信号との差より等化誤差信号を生成する等化誤差生成手段と、等化誤差信号に応じて適応等化手段のタップ係数を調整するタップ係数調整手段とを備え、微分波形信号を自動的に適応等化処理するようにしたことを特徴とする。
【００２３】
この構成によると、期待値信号が連続して正値あるいは連続して負値となったときには、その一方が零値に変更され、期待値信号における正値の連続あるいは負値の連続が解消する。その結果、Ａ／Ｄ変換器でのサンプリングタイミングが正規の位置からずれたり、再生微分波形信号が一時的に乱れたりしても、タップ係数の調整が誤動作せずに、正常なデジタル信号の再生を続けることができる。
【００２４】
本発明の請求項２記載のデジタル信号再生装置は、請求項１記載のデジタル信号再生装置において、３値変更手段において、期待値信号が連続して正値あるいは連続して負値となったときには、等化出力信号の振幅が小さい方を零値に変更することを特徴とする。
【００２５】
この構成によると、等化出力信号の振幅が小さい方が零値に変更されるので、期待値信号における正値の連続あるいは負値の連続が解消する。その結果、Ａ／Ｄ変換器でのサンプリングタイミングが正規の位置からずれたり、再生微分波形信号が一時的に乱れたりしても、タップ係数の調整が誤動作せずに、正常なデジタル信号の再生を続けることができる。
【００３０】
（第１の実施の形態）
以下、本発明の第１の実施の形態について、図面を参照しながら説明する。
【００３１】
図１は、この第１の実施の形態のデジタル信号再生装置の構成を示すブロック図である。
【００３２】
図１において、Ａ／Ｄ変換器３０は、再生されたアナログ微分波形信号をデジタル信号に変換する。
【００３３】
適応等化手段としての適応等化器３１は、タップを形成するために直列接続された遅延素子３１０，３１１，３１２，３１３（各遅延時間は記録ビット周期Ｔ）と、各タップでの信号Ｘ０，Ｘ１，Ｘ２，Ｘ３，Ｘ４に対応するタップ係数Ｃ０，Ｃ１，Ｃ２，Ｃ３，Ｃ４を乗算する乗算器３１４，３１５，３１６，３１７，３１８と、各乗算器３１４，３１５，３１６，３１７，３１８の出力を加算する加算器３１９とから構成され、Ａ／Ｄ変換器３０が出力した信号を等化して等化出力信号Ｙを出力する。このとき、等化出力信号Ｙは次式で表される。
【００３４】
【数４】
Ｙ＝Ｃ０Ｘ０＋Ｃ１Ｘ１＋Ｃ２Ｘ２＋Ｃ３Ｘ３＋Ｃ４Ｘ４
３値生成手段としての３値生成器３２は、適応等化器３１が出力した等化出力信号Ｙの振幅検出をして３値（正値／零値／負値）判断し、期待値信号Ａを出力する。
【００３５】
３値変更手段としての３値変更器１０は、変更制御器１００、セレクタ１０１および１０２、遅延素子１０３および１０４（遅延時間は記録ビット周期Ｔ）から構成される。セレクタ１０１は、変更制御器１００より変更指示があったときには零値を選択し、そうでないときには３値生成器３２が出力した期待値信号Ａを選択して出力する。セレクタ１０２は、変更制御器１００より変更指示があったときには零値を選択し、そうでないときには遅延素子１０３が出力した信号を選択して出力する。遅延素子１０３は、セレクタ１０１が出力した信号を１Ｔ遅延させて出力する。遅延素子１０４は、適応等化器３１が出力した等化出力信号Ｙを１Ｔ遅延させて出力する。変更制御器１００は、３値生成器３２が出力した期待値信号Ａと遅延素子１０３が出力した１Ｔ遅延させた信号とがともに正値あるいはともに負値であったときに、適応等化器３１が出力した等化出力信号Ｙと遅延素子１０４が出力した１Ｔ遅延させた信号の振幅を比較し、適応等化器３１が出力した等化出力信号Ｙの方が振幅が小さければ、セレクタ１０１に零値を選択出力するよう指示し、遅延素子１０４が出力した１Ｔ遅延させた信号の方が振幅が小さければセレクタ１０２に零値を選択出力するように指示する。セレクタ１０２の出力信号を変更期待値信号Ａ’とする。
【００３６】
等化誤差生成手段としての減算器３３は、適応等化器３１が出力した等化出力信号Ｙを遅延素子１１（遅延時間は記録ビット周期Ｔ）により１Ｔ遅延させた信号Ｙ'と３値変更器１０が出力した変更期待値信号Ａ'との減算を行い、等化誤差信号Ｅ'を出力する。遅延素子１１は、変更期待値信号Ａ'が期待値信号Ａから１Ｔ遅延しているので、等化出力信号Ｙのタイミングを合わせるために挿入されている。このとき、等化誤差信号Ｅ'は次式で表される。
【００３７】
【数５】
Ｅ’＝Ｙ’−Ａ’
タップ係数調整手段としてのタップ係数調整器３４は、第０タップ係数調整器３４０、第１タップ係数調整器３４１、第２タップ係数調整器３４２、第３タップ係数調整器３４３、第４タップ係数調整器３４４から構成される。
【００３８】
第０タップ係数調整器３４０は、第０タップでの信号Ｘ０を遅延素子１４０（遅延時間は記録ビット周期Ｔ）により１Ｔ遅延させた信号Ｘ０’と減算器３３が出力した等化誤差信号Ｅ’とから演算した第０タップ係数Ｃ０を出力する。第１タップ係数調整器３４１は、第１タップでの信号Ｘ１を遅延素子１４１（遅延時間は記録ビット周期Ｔ）により１Ｔ遅延させた信号Ｘ１’と減算器３３が出力した等化誤差信号Ｅ’とから演算した第１タップ係数Ｃ１を出力する。第２タップ係数調整器３４２は、第２タップでの信号Ｘ２を遅延素子１４２（遅延時間は記録ビット周期Ｔ）により１Ｔ遅延させた信号Ｘ２’と減算器３３が出力した等化誤差信号Ｅ’とから演算した第２タップ係数Ｃ２を出力する。第３タップ係数調整器３４３は、第３タップでの信号Ｘ３を遅延素子１４３（遅延時間は記録ビット周期Ｔ）により１Ｔ遅延させた信号Ｘ３’と減算器３３が出力した等化誤差信号Ｅ’とから演算した第３タップ係数Ｃ３を出力する。第４タップ係数調整器３４４は、第４タップでの信号Ｘ４を遅延素子１４４（遅延時間は記録ビット周期Ｔ）により１Ｔ遅延させた信号Ｘ４’と減算器３３が出力した等化誤差信号Ｅ’とから演算した第４タップ係数Ｃ４を出力する。
【００３９】
等化誤差信号Ｅ’を用いたタップ係数調整においては様々な方法があり、入力信号が更新されるごとに、逐次計算によりタップ係数を更新していく。遅延素子１４０，１４１，１４２，１４３，１４４は、等化誤差信号Ｅ’が図３に示す従来の構成に比べて１Ｔ遅延しているので、タイミングを合わせるために挿入されている。なお、逐次計算は、例えば次式のような演算式に従って実行される。
【００４０】
【数６】
Ｃｊ(V+1) ＝Ｃｊ(V) −αj Ｘｊ’Ｅ’    （０≦ｊ≦４）
ただし、（Ｖ）と（Ｖ＋１）は時刻を表す。
【００４１】
また、αj は更新ゲインである。
【００４２】
この第１の実施の形態の装置は、図１に示す構成により、Ａ／Ｄ変換器３０でのサンプリングタイミングが正規の位置からずれたり、再生微分波形信号が一時的に乱れたりしたときに、３値生成器３２において生成される期待値信号Ａに、微分波形信号には本来存在しないパターンである正値の連続あるいは負値の連続が発生しても、３値変更器１０において、それぞれの期待値信号Ａに対応する等化出力信号Ｙの振幅のうち、いずれか小さい方に対応した期待値信号Ａを零値に変更する。そして、その変更された期待値信号Ａ’から減算器３３により等化誤差信号Ｅ’が演算されて、タップ係数調整器３４にてタップ係数Ｃ０，Ｃ１，Ｃ２，Ｃ３，Ｃ４の調整が行われるので、タップ係数Ｃ０，Ｃ１，Ｃ２，Ｃ３，Ｃ４の調整が発散してしまうようなことにはならず、正しい適応等化処理を続けることができる。
【００４３】
上記のように、この第１の実施の形態では、期待値信号Ａが連続して正値あるいは連続して負値となったときには、３値変更器１０において等化出力信号Ｙの振幅が小さい方の期待値信号Ａを零値に変更するので、Ａ／Ｄ変換器３０でのサンプリングタイミングが正規の位置からずれたり、再生微分波形信号が一時的に乱れたりしても、タップ係数の調整が誤動作せずに、正常なデジタル信号の再生を続けることができる。
【００４４】
なお、この第１の実施の形態では、期待値信号Ａが連続して正値あるいは連続して負値となったときには、３値変更器１０において等化出力信号Ｙの振幅が小さい方の期待値信号Ａを零値に変更するとしたが、Ａ／Ｄ変換器３０でのサンプリングタイミングの位置のずれ方や再生微分波形信号の乱れ方を検出し、その検出結果から判断した方の期待値信号Ａを零値に変更するとしても構わない。この場合、検出用の回路が必要となるが、より正しい期待値信号Ａ’を生成することができるので、より正しい適応等化処理ができることとなる。
【００４５】
（参考例）
以下、参考例について、図面を参照しながら説明する。
【００４６】
図２は、参考例のデジタル信号再生装置の構成を示すブロック図である。
【００４７】
図２において、Ａ／Ｄ変換器３０は、再生されたアナログ微分波形信号をデジタル信号に変換する。
【００４８】
適応等化手段としての適応等化器３１は、タップを形成するために直列接続された遅延素子３１０，３１１，３１２，３１３（各遅延時間は記録ビット周期Ｔ）と、各タップでの信号Ｘ０，Ｘ１，Ｘ２，Ｘ３，Ｘ４に対応するタップ係数Ｃ０，Ｃ１，Ｃ２，Ｃ３，Ｃ４を乗算する乗算器３１４，３１５，３１６，３１７，３１８と、各乗算器の出力を加算する加算器３１９とから構成され、Ａ／Ｄ変換器３０が出力した信号を等化して等化出力信号Ｙを出力する。このとき、等化出力信号Ｙは次式で表される。
【００４９】
【数７】
Ｙ＝Ｃ０Ｘ０＋Ｃ１Ｘ１＋Ｃ２Ｘ２＋Ｃ３Ｘ３＋Ｃ４Ｘ４
３値生成手段としての３値生成器３２は、適応等化器３１が出力した等化出力信号Ｙの振幅検出をして３値（正値／零値／負値）判断し、期待値信号Ａを出力する。
【００５０】
等化誤差生成手段としての等化誤差生成器２０は、減算器２００、セレクタ２０１、生成制御器２０２から構成される。減算器２００は、適応等化器３１が出力した等化出力信号Ｙと３値生成器３２が出力した期待値信号Ａとの減算を行って出力する。セレクタ２０１は、生成制御器２０２より零出力指示があったときには零を選択、そうでないときには減算器２００が出力した信号を選択して出力する。生成制御器２０２は、３値生成器３２が出力した期待値信号Ａが所定の回数以上連続して零値となっていると、セレクタ２０１に零を選択出力するように指示する。セレクタ２０１の出力信号を等化誤差信号Ｅとする。このとき、等化誤差信号Ｅは次式で表される。
【００５１】
【数８】
Ｅ＝（Ｙ−Ａ）  または  ０
タップ係数調整手段としてのタップ係数調整器３４は、第０タップ係数調整器３４０、第１タップ係数調整器３４１、第２タップ係数調整器３４２、第３タップ係数調整器３４３、第４タップ係数調整器３４４から構成される。第０タップ係数調整器３４０は、第０タップでの信号Ｘ０と等化誤差生成器２０が出力した等化誤差信号Ｅとから演算した第０タップ係数Ｃ０を出力する。第１タップ係数調整器３４１は、第１タップでの信号Ｘ１と等化誤差生成器２０が出力した等化誤差信号Ｅとから演算した第１タップ係数Ｃ１を出力する。第２タップ係数調整器３４２は、第２タップでの信号Ｘ２と等化誤差生成器２０が出力した等化誤差信号Ｅとから演算した第２タップ係数Ｃ２を出力する。第３タップ係数調整器３４３は、第３タップでの信号Ｘ３と等化誤差生成器２０が出力した等化誤差信号Ｅとから演算した第３タップ係数Ｃ３を出力する。第４タップ係数調整器３４４は、第４タップでの信号Ｘ４と等化誤差生成器２０が出力した等化誤差信号Ｅとから演算した第４タップ係数Ｃ４を出力する。等化誤差信号Ｅを用いたタップ係数調整においては様々な方法があり、入力信号が更新されるごとに逐次計算によりタップ係数を更新していく。なお、逐次計算は、例えば次式のような演算式に従って実行される。
【００５２】
【数９】
Ｃｊ(V+1) ＝Ｃｊ(V) −αj ＸｊＥ    （０≦ｊ≦４）
ただし、（Ｖ）と（Ｖ＋１）は時刻を表す。
【００５３】
また、αj は更新ゲインである。
【００５４】
この参考例の装置は、図２に示す構成により、磁気テープにデジタル信号が記録されていない部分、例えばギャップ部分の再生時において、ノイズ成分を再生していても、３値生成器３２より出力される期待値信号Ａが所定の回数以上連続で零値となっているときには、等化誤差生成器２０において、入力する等化出力信号Ｙが零でなくても等化誤差信号Ｅを零にして出力するので、その結果、タップ係数調整器３４におけるタップ係数の更新はされない。したがって、デジタル信号が記録されていない部分を再生している間にタップ係数がどんどん零に近づいてしまうような現象は発生せず、デジタル信号が記録されている部分の再生を始めても、等化出力信号Ｙの振幅が正常となる。
【００５５】
ここで、デジタル信号が記録されている部分において期待値信号Ａが連続して零となる最大の回数は、その符号のランレングスに等しいので、期待値信号Ａの零の連続がランレングス以上であるときに等化誤差信号Ｅを零にして出力するのが好ましい。つまり、上記の所定の回数ｎ（ｎは２以上の整数）としては、記録されているデジタル信号のランレングスあたりの値を用いるのが好ましい。
【００５６】
上記のように、この参考例では、期待値信号が所定回数以上連続で零値となっているときには、等化誤差生成器２０において等化誤差信号Ｅを強制的に零として出力するので、磁気テープにデジタル信号が記録されていない部分を再生している間も、タップ係数の調整が誤動作せずに、デジタル信号が記録されている部分の再生を始めれば正常なデジタル信号の再生を始めることができる。
【００５７】
なお、この参考例では、期待値信号が所定回数以上連続で零値となっているときには、等化誤差生成器２０において等化誤差信号Ｅを零にして出力することによりタップ係数の更新を停止するとしたが、等化誤差信号Ｅの出力は従来通りにしておいて、タップ係数調整器３４においてタップ係数の更新を停止するとしても構わない。この場合、それぞれのタップ係数調整器ごとにタップ係数の更新を停止させるための回路が必要となるが、タップ係数の更新の停止を行うタップと行わないタップとを分けることも可能となる。
【００５８】
ここで、タップ係数の更新を停止させるための回路の具体例について、図４を用いて説明する。
【００５９】
図４（ａ）は図２における各タップ係数調整器の構成を示すブロック図である。図４（ａ）では、等化誤差信号Ｅと各タップでの信号Ｘｊ（０≦ｊ≦４）とを乗算器４０１において乗算し、その出力と更新ゲインαｊとを乗算器４０２において乗算し、減算器４０４において、各タップ係数Ｃｊ（０≦ｊ≦４）を遅延素子４０３（遅延時間は記録ビット周期Ｔ）で遅延させたものから乗算器４０２の出力を減算したものを各タップ係数Ｃｊ（０≦ｊ≦４）として出力する。これにより〔数９〕を実現している。
【００６０】
一方、図４（ｂ）は、図４（ａ）の構成に対して、タップ係数の更新を停止できるように回路が追加されたもののブロック図である。
【００６１】
ここで、生成制御器２０２は、図２において説明されたものと同様のものである。
【００６２】
図４（ｂ）では、セレクタ４０５において、生成制御器２０２からの指示に基づいて、乗算器４０２の出力あるいは零を選択して減算器４０４に出力する。
【００６３】
この構成により、生成制御器２０２からの指示によりタップ係数の更新を停止させることができる。
【００６４】
【発明の効果】
本発明の請求項１記載のデジタル信号再生装置によれば、期待値信号が連続して正値あるいは連続して負値となったときには、３値変更手段がその一方を零値に変更するため、Ａ／Ｄ変換器でのサンプリングタイミングが正規の位置からずれたり、再生微分波形信号が一時的に乱れたりしても、タップ係数の調整が誤動作せずに、正常なデジタル信号の再生を続けることができる。
【００６５】
本発明の請求項２記載のデジタル信号再生装置によれば、期待値信号が連続して正値あるいは連続して負値となったときには、３値変更手段が等化出力信号の振幅が小さい方を零値に変更するため、Ａ／Ｄ変換器でのサンプリングタイミングが正規の位置からずれたり、再生微分波形信号が一時的に乱れたりしても、タップ係数の調整が誤動作せずに、正常なデジタル信号の再生を続けることができる。
【図面の簡単な説明】
【図１】  本発明の第１の実施の形態に係るデジタル信号再生装置の構成を示すブロック図である。
【図２】  参考例に係るデジタル信号再生装置の構成を示すブロック図である。
【図３】  従来のデジタル信号再生装置の構成を示すブロック図である。
【図４】  （ａ）は図２における各タップ係数調整器の構成を示すブロック図、（ｂ）は図４（ａ）の構成に対して、タップ係数の更新を停止できるように回路が追加されたもののブロック図である。
【符号の説明】
１０    ３値変更器
２０    等化誤差生成器
３０    Ａ／Ｄ変換器
３１    適応等化器
３２    ３値生成器
３３    減算器
３４    タップ係数調整器
【図１】
0003638801.tif 000002
【図２】
0003638801.tif 000003
【図３】
0003638801.tif 000004
【図４】
0003638801.tif 000005